(57)【要約】      （修正有）【課題】緩衝器の回動の角度を減らすことができるとともに、全体的な体積を減らすことができる蝶番を提供する。【解決手段】外柄座１、係止ユニット２、装着座３、外弾性板４、固定座５および緩衝ユニット６を有する。係止ユニット２は外柄座１に設置され、外柄座１は係止ユニット２によって装脱自在に装着座３に枢設され、装着座３は家具の戸棚に設置され、外弾性板４と緩衝ユニット６は外柄座１と固定座５の間に枢設され、固定座５は家具の扉板に設置される。その中に、緩衝ユニット６には連接部材６２、緩衝器６１と内弾性板６３が形成され、連接部材６２には円弧状を有する円弧形孔６２４が形成されるように構成されている。【選択図】図１
0003156516.tif 000002
【実用新案登録請求の範囲】
【請求項１】
外柄座（１）、係止ユニット（２）、装着座（３）、外弾性板（４）、固定座（５）および緩衝ユニット（６）を有する蝶番において、外柄座（１）には枢設部が形成され、係止ユニット（２）は外柄座（１）に設置され、係止ユニット（２）には結合部が形成され、装着座（３）には組立部が形成され、係止ユニット（２）の上記結合部は装脱自在に上記組立部に設置され、外弾性板（４）の一端は外柄座（１）に枢設され、固定座（５）は外弾性板（４）のもう一方の端部に枢設され、緩衝ユニット（６）には連接部材（６２）、緩衝器（６１）と内弾性板（６３）が形成され、連接部材（６２）には連接板（６２１）が設けられ、連接板（６２１）には第一枢接孔（６２２）、第二枢接孔（６２３）と円弧形孔（６２４）が設けられ、第一枢接孔（６２２）、第二枢接孔（６２３）と円弧形孔（６２４）は連接板（６２１）の同じ直線上に位置しないように形成され、その中、連接部材（６２）の第一枢接孔（６２２）、緩衝器（６１）の一端と内弾性板（６３）の一端は全てそれぞれ外柄座（１）の上記枢設部に枢設され、緩衝器（６１）のもう一方の端部は連接部材（６２）の第二枢接孔（６２３）に枢設され、内弾性板（６３）のもう一方の端部は滑動自在に円弧形孔（６２４）に枢設され、さらに内弾性板（６３）の中段の部位には他に支点枢接孔（６２３）が設けられ、支点枢接孔（６２３）は固定部材を利用して外柄座（１）の上記枢設部に枢設されることを特徴とする蝶番。
【請求項２】
連接部材（６２）にはもう一個の連接板（６２１）が形成され、二個の連接板（６２１）の構造形態は全て同じであり、二個の連接板（６２１）はアーム板（６２５）によって連結し固定され、二個の連接板（６２１）の間には隙間を有するように形成されることを特徴とする請求項１に記載の蝶番。
【請求項３】
外柄座（１）と外弾性板（４）との枢設する部位にはバネ（７）が設けられることを特徴とする請求項１に記載の蝶番。
【請求項４】
外柄座（１）の上記枢設部は二個の側壁（１１）からなり、二個の側壁（１１）はそれぞれ外柄座（１）の内の二個の対応の側から同じ面に向いて延伸するように形成され、連接部材（６２）、緩衝器（６１）と内弾性板（６３）は二個の側壁（１１）の間に枢設されることを特徴とする請求項１、２または３に記載の蝶番。
【請求項５】
係止ユニット（２）の上記結合部は少なくとも二個の係止フック（２１２）からなり、少なくとも二個の係止フック（２１２）は対向する内側に向くように形成され、装着座（３）の上記組立部は少なくとも二個の係止部（３１１）からなり、少なくとも二個の係止部（３１１）は少なくとも二個の係止フック（２１２）が係止するのに用いられることを特徴とする請求項１、２または３に記載の蝶番。
【請求項６】
係止ユニット（２）には内柄座（２１）、係止部材（２２）と弾性部材（２３）が形成され、内柄座（２１）は外柄座（１）に設置され、内柄座（２１）の一端には係止フック（２１２）が設けられ、内柄座（２１）のもう一方の端部には係止部材（２２）が枢設され、係止部材（２２）には係止フック（２２１）が設けられ、内柄座（２１）の係止フック（２１２）と係止部材（２２）の係止フック（２２１）は対向する内側に向くように形成され、弾性部材（２３）は内柄座（２１）と係止部材（２２）が枢設する部位に設置され、弾性部材（２３）は係止部材（２２）の係止フック（２２１）が恒に内柄座（２１）の方向に向いて当接するように押圧されることを特徴とする請求項５に記載の蝶番。
【請求項７】
内柄座（２１）にはその内の二個の対応する側から同じ面に向いてそれぞれ延伸するように側壁（２１１）が形成され、二個の側壁（２１１）の一端には全て係止フック（２１２）が設けられ、係止部材（２２）には二個の係止フック（２２１）、二個の枢接耳部（２２２）と一個の押圧板（２２３）が形成され、二個の枢設耳部（２２２）は二個の側壁（２１１）のもう一方の端部に枢設され、さらに押圧板（２２３）は内柄座（２１）の外側に向くように形成されることを特徴とする請求項６に記載の蝶番。
【請求項８】
少なくとも二個の係止部（３１１）は装着座（３）の内の二個の相対する側に位置するように形成されることを特徴とする請求項７に記載の蝶番。
【請求項９】
外柄座（１）と内柄座（２１）の間には調整部材（１２）と固定部材（１３）が設けられ、調整部材（１２）と固定部材（１３）は外柄座（１）と内柄座（２１）の間の相対位置を調整するのに用いられることを特徴とする請求項６に記載の蝶番。
【考案の詳細な説明】
【技術分野】
【０００１】
本考案は、蝶番に関するもので、特に家具の戸棚本体と扉板の間に取り付けられ、扉板が戸棚本体にぶつかるのを避けることができる緩衝作用を有するとともに、扉板を迅速に取り付けたり取り外したりできる蝶番に係るものである。
【背景技術】
【０００２】
従来の蝶番の構造として、例えば、中華民国公告第Ｍ３０７６７３号「分離式緩衝蝶番の構造」（特許文献１を参照）では、扉板固定座、連接フレーム、係止座、押圧部材、固定板、連接ユニットおよび緩衝ユニットが含まれている。その中、扉板固定座は家具の扉板に設置され、連接フレームは家具の戸棚本体の上に設置され、緩衝ユニットは上記連接ユニットに合わせて扉板固定座と連接フレームの間に枢設される。扉板が開閉される時、緩衝ユニットは緩衝の阻止力を提供して扉板が閉まる速度を緩めることができるため、扉板が急激に戸棚本体にぶつかるのを避けることができるようにしたものがある。
【０００３】
上記の従来の蝶番にあっては、緩衝ユニットは緩衝部材、偏位回動部材および複数個の回動片を含み、緩衝部材と偏位回動部材は全て連接フレームに枢設され、緩衝部材とそれぞれの回動片は偏位回動部材により枢接され、偏位回動部材は往復に偏って回動することができる。それぞれの回動片は他に連接ユニットの複数個の連接片と枢接し、それぞれの連接片は互いに重なるように扉板固定座と連接フレームの間に枢設され、さらにそれぞれの連接片の内の二個の連接片には枢接孔を有する枢接耳部が延伸するように形成され、枢接耳部は上記それぞれの回動片とは枢接するように形成される。
【先行技術文献】
【特許文献】
【０００４】
【特許文献１】中華民国公告第Ｍ３０７６７３号公報
【考案の概要】
【考案が解決しようとする課題】
【０００５】
上記のような従来の蝶番の構造においては、一般的に、次のような問題点を有している。家具の扉板を開けたりまたは閉めたりする時、上記のような従来の構造では緩衝器の回動角度が大きいため、連接フレームと固定板の間に比較的大きい空間を予め残しておかなければならず、残された空間が小さいと、緩衝ユニットのそれぞれの部材の作動に対して互いの干渉を与えてしまう問題点を有するため、上記の従来の構造における全体的な体積が比較的大きくなるという問題点があった。
【０００６】
また、上記のような従来の蝶番の構造においては、それぞれの回動片と連接片が全て片状体で互いに重なるように形成されるため、部品数が多くなるという問題点を有するとともに、それぞれの連接片の内の二個の連接片に枢接孔を有する枢接耳部が延伸するように形成され、そして二個の枢接耳部によってそれぞれの回動片と枢設するように形成されるため、それぞれの連接片を互いに重なって設置する必要があり、一定の組立の順序に従って行わなければならなず、上記のような従来の構造では組立上において大変困難になるという問題点があった。
【０００７】
また、上記のような従来の蝶番の構造においては、緩衝部材、偏位回動部材、回動片および連接片の間に枢設点が多過ぎて、合わせて四個の活動自在な枢設点を有するとともに、それぞれの回動片そのものは拘束を受けない自由な部材からなるため、家具の扉板を開けたりまたは閉めたりする時、それぞれの回動片そのものは回動または変位による組合せの作動を兼ねることにより、各枢設点の活動の径路は予期されるものとは違って干渉が生じ易いため、扉板の開閉の作動はスムースでなくなるという問題点があった。このように、上記のような従来の蝶番の構造をさらに改良しなければならない。
【０００８】
本考案はこのような問題点に鑑みて考案されたものであって、その主な目的とするところは、円弧状の円弧形孔を有する連接部材を利用し、内弾性板を上記円弧形孔に枢設させる時、その間の枢設点は上記円弧形孔において滑動することにより、緩衝器の回動の角度を減らすことができるため、全体的な体積を相対的に縮減することができる蝶番を提供しようとすることにある。
【０００９】
本考案の第二の目的とするところは、連接部材を利用して上記緩衝器と内弾性板の間に枢設して連接することにより、その組成する構造が簡単になるとともに、組立も簡単になる蝶番を提供しようとすることである。
【００１０】
本考案の第三の目的とするところは、上記緩衝器、連接部材および内弾性板の間は二個の枢設点しか有せず、上記連接部材は外柄座に枢設されて一定の角度で回動して作動するように形成されることにより、それぞれの枢設点の間による干渉を避けることができる蝶番を提供しようとすることである。
【課題を解決するための手段】
【００１１】
上記目的を達成するために、本考案による蝶番は、外柄座、係止ユニット、装着座、外弾性板、固定座および緩衝ユニットを有する。外柄座には枢設部が形成される。係止ユニットは外柄座に設置され、係止ユニットには結合部が形成される。装着座には組立部が形成され、係止ユニットの結合部は装脱自在に組立部に設置される。外弾性板の一端は外柄座１に枢設される。固定座は外弾性板のもう一方の端部に枢設される。緩衝ユニットには連接部材、緩衝器と内弾性板が形成される。連接部材には連接板が設けられ、連接板には第一枢接孔、第二枢接孔と円弧形孔が設けられる。第一枢接孔、第二枢接孔と円弧形孔は連接板の同じ直線上に位置しないように形成される。その中、連接部材の第一枢接孔、緩衝器の一端と内弾性板の一端は全てそれぞれ外柄座の上記枢設部に枢設され、緩衝器のもう一方の端部は連接部材の第二枢接孔に枢設され、内弾性板のもう一方の端部は滑動自在に円弧形孔に枢設される。さらに内弾性板の中段の部位には他に支点枢接孔が設けられ、支点枢接孔は固定部材を利用して外柄座の枢設部に枢設される。
【００１２】
また、連接部材にはもう一個の連接板が形成されてもよい。二個の連接板の構造形態は全て同じで、二個の連接板はアーム板によって連結し固定され、二個の連接板の間には隙間を有するように形成される。また、外柄座と外弾性板との枢設する部位にバネを設けることもできる。また、外柄座の枢設部が二個の側壁からなることもできる。二個の側壁はそれぞれ外柄座のその内の二個の対応する側から同じ面に向いて延伸するように形成され、連接部材、緩衝器と内弾性板は二個の側壁の間に枢設される。また、係止ユニットの上記結合部が少なくとも二個の係止フックからなることもできる。少なくとも二個の係止フックは対向する内側に向くように形成され、装着座の組立部は少なくとも二個の係止部からなり、少なくとも二個の係止部は少なくとも二個の係止フックが係止するのに用いられる。また、係止ユニットに内柄座、係止部材と弾性部材を形成してもよい。内柄座は外柄座に設置される。内柄座の一端には係止フックが設けられ、内柄座のもう一方の端部には係止部材が枢設される。係止部材には係止フックが設けられ、内柄座の係止フックと係止部材の係止フックは対向する内側に向くように形成される。弾性部材は内柄座と係止部材が枢設する部位に設置され、弾性部材は係止部材の係止フックが恒に内柄座の方向に向いて当接するように押圧される。また、内柄座にその内の二個の対応する側から同じ面に向いてそれぞれ延伸するように側壁を形成することもできる。二個の側壁の一端には全て係止フックが設けられ、係止部材には二個の係止フック、二個の枢接耳部と一個の押圧板が形成される。二個の枢設耳部は二個の側壁のもう一方の端部に枢設され、さらに押圧板は内柄座の外側に向くように形成される。また、少なくとも二個の係止部が装着座の内の二個の相対する側に位置するように形成することもできる。また、外柄座と内柄座の間に調整部材と固定部材を設け、調整部材と固定部材は外柄座と内柄座の間の相対位置を調整するのに用いることもできる。
【考案の効果】
【００１３】
本考案の蝶番によれば、円弧状の円弧形孔を有する連接部材を利用し、内弾性板を上記円弧形孔に枢設させる時、その間の枢設点は上記円弧形孔において滑動することにより、緩衝器の回動の角度を減らすことができるため、全体的な体積を相対的に縮減することができるという利点がある。
【００１４】
また、連接部材を利用して緩衝器と内弾性板の間に枢設して連接することにより、その組成する構造が簡単になるとともに、組立も簡単になるという利点がある。
【００１５】
さらに、緩衝器、連接部材および内弾性板の間は二個の枢設点しか有しておらず、連接部材は外柄座に枢設されて一定の角度で回動して作動するように形成されることにより、それぞれの枢設点の間による干渉を避けることができるという利点がある。
【図面の簡単な説明】
【００１６】
【図１】図１は、本考案の蝶番の分解斜視図である。
【図２】図２は、本考案の蝶番が家具の扉板と戸棚本体に応用されて扉板が戸棚に対して開いている状態の断面図である。
【図３】図３は、本考案の蝶番の係止ユニットが装着座に嵌設される状態における作動の説明図である。
【図４】図４は、本考案の蝶番の係止ユニットが装着座に嵌設されて１８０°を回転した後の状態における外観斜視図である。
【図５】図５は、本考案の蝶番が家具の扉板と戸棚本体に応用されて扉板が戸棚に対して閉まっている状態の断面図である。
【考案を実施するための形態】
【００１７】
本考案の実施の形態について、以下、図面を参照して説明する。
【００１８】
図１は本考案の蝶番の分解斜視図、図２は本考案の蝶番が家具の扉板と戸棚本体に応用されて扉板が戸棚に対して開いている状態の断面図である。図１、２を参照すると、本考案の蝶番には、外柄座１、係止ユニット２、装着座３、外弾性板４、固定座５および緩衝ユニット６が含まれる。その中、係止ユニット２は外柄座１に設置され、外柄座１は係止ユニット２によって装脱自在に装着座３に嵌設される。外弾性板４と緩衝ユニット６は外柄座１と固定座５の間に枢設され、そして装着座３は家具の戸棚本体に設置され、固定座５は家具の扉板に設置される。扉板が閉まる時、緩衝ユニット６は緩衝の阻止力を提供して扉板の閉まる速度を緩めることができるため、扉板が急激に戸棚本体にぶつかるのを避けることができる。
【００１９】
外柄座１には枢設部が形成される。上記枢設部には、好ましくは、外柄座１の二個の対応の側からそれぞれ延伸するように側壁１１が形成され、二個の側壁１１は同じ方向に向いて延伸するとともに、好ましくは平行になるように形成される。その中、二個の側壁１１はその一端から順序に従って二個の弾性板枢接孔１１１ａ、１１１ｂ、一個の連接部材枢接孔１１２と一個の緩衝器枢接孔１１３が設けられる。弾性板枢接孔１１１ａは枢接部材１４を貫穿するのに用いることができ、弾性板枢接孔１１１ｂは枢接部材１５を貫穿するのに用いることができる。また、連接部材枢接孔１１２は枢接部材１６を貫穿するのに用いることができ、緩衝器枢接孔１１３は枢接部材１７を貫穿するのに用いることができる。
【００２０】
係止ユニット２には内柄座２１、係止部材２２と弾性部材２３が形成される。内柄座２１の二個の対応する側からそれぞれ延伸するように側壁２１１が形成される。二個の側壁２１１は同じ方向に向いて延伸するとともに、好ましくは、平行になるように形成される。内柄座２１の二個の側壁２１１の外側面の隙間は外柄座１の二個の側壁１１の内側面の隙間より小さくなるように形成される。内柄座２１の二個の側壁２１１は全て両端を有するように形成され、それぞれの側壁２１１の一端には係止フック２１２が設けられ、そしてもう一方の端部には枢接孔２１３が設けられる。
【００２１】
係止部材２２には二個の係止フック２２１、二個の枢接耳部２２２と一個の押圧板２２３が形成される。二個の枢接耳部２２２には全て枢接孔２２４が形成され、そして枢接部材２４を利用して内柄座２１と係止部材２２の枢接孔２１３、２２４を貫穿し、係止部材２２の二個の枢接耳部２２２を二個の側壁２１１に枢接させ、さらに側壁２１１に形成される係止フック２１２と係止部材２２に形成される係止フック２２１は互いに対応するように形成されることにより、共同で結合部を構成することができる。弾性部材２３は、好ましくは、一定の角度に折り曲げられた弾性片からなり、弾性部材２３の二個の脚はそれぞれ内柄座２１と係止部材２２を押圧するように形成される。係止部材２２の係止フック２２１は恒に内柄座２１の係止フック２１２の方向に向くように、そして回復の弾性力を有するように形成される。
【００２２】
装着座３には一個の載置部３１と少なくとも二個の装着部３２が形成される。少なくとも二個の装着部３２は、好ましくは、それぞれ載置部３１の二個の側辺に位置するように形成される。載置部３１のもう二個の対応する辺にはそれぞれ係止部３１１が設けられ、二個の係止部３１１は共同で組立部を構成することができる。二個の装着部３２にはそれぞれ組立孔３２１が設置され、装着座３は組立孔３２１によって家具の戸棚本体に固定することができる。
【００２３】
外弾性板４は側壁４１が二個の対応する辺からそれぞれ延伸するように形成され、二個の側壁４１にはそれぞれ第一枢接孔４２と第二枢接孔４３が設けられ、第一枢接孔４２は枢接部材５２２を貫穿するのに用いることができる。さらに枢接部材５２２は固定座５の弾性板枢接孔５２１ａに枢接され、第二枢接孔４３は枢接部材１４を貫穿するのに用いることができる。さらに枢接部材１４は側壁１１の弾性板枢接孔１１１ａに枢接することができるため、外弾性板４は外柄座１と固定座５を連接することができる。
【００２４】
固定座５には板部５１と収容部５２が形成され、収容部５２は、好ましくは、板部５１の中段の部位に位置するように形成される。板部５１には複数個の組立孔５１１が設置され、固定座５は組立孔５１１によって家具の扉板に固定することができる。固定座５が家具の扉板に固定される時、収容部５２は扉板に凹み込むように形成され、収容部５２が形成される壁には二組の対応する二個の弾性板枢接孔５２１ａ、５２１ｂが設けられる。二個の弾性板枢接孔５２１ａ、５２１ｂは枢接部材５２２が貫穿するのに用いられ、枢接部材５２２は図に示すようなＵ字型に形成されるため、枢接部材５２２は同時に外弾性板４と緩衝ユニット６の一端を枢接することができる。
【００２５】
緩衝ユニット６には緩衝器６１、連接部材６２と内弾性板６３が形成される。緩衝器６１は緩衝固定座６１１と緩衝レバー６１２により組成される。緩衝レバー６１２は緩衝固定座６１１に相対して軸方向へ移動することができ、緩衝固定座６１１には位置決め孔６１３が設けられ、緩衝レバー６１２には位置決め孔６１４が設けられる。位置決め孔６１３は枢接部材１７を貫穿するのに用いられ、そして枢接部材１７は同時に外柄座１の緩衝器枢接孔１１３を貫穿するように形成される。位置決め孔６１４は枢接部材６４を貫穿するのに用いられ、そして枢接部材６４は同時に連接部材６２の第二枢設孔６２３を貫穿するように形成される。連接部材６２には少なくとも一個の連接板６２１が形成される。本実施例において、連接板６２１は二個で対応するように、かつアーム板６２５によって連結するように形成され、そして二個の連接板６２１の間には隙間を有するように形成される。
【００２６】
二個の連接板６２１には対応するように第一枢接孔６２２、第二枢接孔６２３と円弧形孔６２４が設けられ、第一枢設孔６２２、第二枢設孔６２３と円弧形孔６２４は連接板６２１において同じ直線上に位置しないように形成される。第一枢設孔６２２は枢接部材１６が貫穿するのに用いられ、枢接部材１６は同時に外柄座１の連接部材枢接孔１１２を貫穿するように形成される。第二枢設孔６２３は枢接部材６４が貫穿するのに用いられ、枢接部材６４は同時に緩衝レバー６１２の位置決め孔６１４を貫穿するように形成される。円弧形孔６２４は枢接部材６５が貫穿するのに用いられ、枢接部材６５は同時に内弾性板６３の第二枢接孔６３２を貫穿するように形成される。
【００２７】
内弾性板６３の両端にはそれぞれ第一枢接孔６３１と第二枢接孔６３２が設けられ、そして内弾性板６３は第一枢接孔６３１と第二枢接孔６３２の間において他に支点枢接孔６３３が設けられる。本実施例において、連接部材６２は緩衝器６１と内弾性板６３の間に枢設され、そして緩衝器６１の緩衝レバー６１２は、好ましくは、位置決め孔６１４を経由して枢接部材６４によって連接部材６２の第二枢接孔６２３に枢設され、さらに内弾性板６３の第二枢接孔６３２は枢接部材６５が貫穿するのに用いられることができ、そして枢接部材６５は活動自在に円弧形孔６２４に枢設される。
【００２８】
バネ７は外弾性板４と外柄座１の枢接する部位に設置され、枢接部材１４はバネ７を貫穿することができ、バネ７の二個の脚はそれぞれ外弾性板４と外柄座１を押圧することにより、外弾性板４と外柄座１の間には相対的に外へ向かって弾発付勢する弾力を有するように形成される。
【００２９】
再び図１、２を参照すると、本考案の蝶番を組み立てる時、先ず固定座５を組立孔５１１を利用して家具の扉板に固定させ、それから装着座３を組立孔３２１を利用して家具の戸棚本体に固定させる。次いで、係止ユニット２の内柄座２１を外柄座１の二個の側壁１１の間に設置し、そして外柄座１と内柄座２１の間に他に調整部材１２と固定部材１３を設置することにより、外柄座１と内柄座２１の間において相対位置を適当に調整することができる。
【００３０】
緩衝ユニット６の緩衝器６１の一端は外柄座１の二個の側壁１１の間に枢設され、緩衝器６１は枢接部材１７を利用して緩衝固定座６１１の位置決め孔６１３と外柄座１の緩衝器枢接孔１１３を貫穿して枢設して固定する。緩衝ユニット６の連接部材６２も外柄座１の二個の側壁１１の間に枢設され、連接部材６２は枢接部材１６を利用して第一枢接孔６２２と外柄座１の連接部材枢接孔１１２を貫穿して枢設して固定する。
【００３１】
それから、再び緩衝器６１と連接部材６２を枢設し、緩衝器６１は枢接部材６４を利用して緩衝レバー６１２の位置決め孔６１４と連接部材６２の第二枢接孔６２３を貫穿して枢設して固定する。緩衝ユニット６の内弾性板６３の両端はそれぞれ連接部材６２と固定座５に枢設され、内弾性板６３の一端は枢接部材６５を利用して第二枢接孔６３２と連接部材６２の円弧形孔６２４を貫穿することにより、枢接部材６５は活動自在に円弧形孔６２４に枢設される。内弾性板６３のもう一方の端部は枢設部材５２２を利用して第一枢接孔６３１と固定座５の弾性板枢接孔５２１ｂを貫穿して枢設して固定し、そして内弾性板６３の中段の部位においては枢設部材１５を利用して支点枢接孔６３３と外柄座１の弾性板枢接孔１１１ｂを貫穿して枢設して固定する。
【００３２】
外弾性板４の両端はそれぞれ外柄座１と固定座５に枢設され、外弾性板４の一端は枢設部材１４を利用して第二枢接孔４３と外柄座１の弾性板枢接孔１１１ａを貫穿して枢設して固定する。同時に、バネ７も枢設部材１４に貫穿され、バネ７の二個の脚はそれぞれ外弾性板４と外柄座１を押圧するように形成される。外弾性板４のもう一方の端部は枢設部材５２２を利用して第一枢接孔４２と固定座５の弾性板枢接孔５２１ａを貫穿して枢設して固定する。
【００３３】
図３は、本考案の蝶番の係止ユニットが装着座に嵌設される状態における作動を説明するための図で、図４は、本考案の蝶番の係止ユニットを装着座に嵌設して１８０°を回転した後の状態における外観斜視図である。図２、３、４を参照すると、蝶番の装着座３と固定座５をそれぞれ家具の戸棚本体と扉板に固定した後、蝶番を組み立てることによって扉板を迅速に戸棚本体に組み立てることができる。先ず、係止ユニット２の内柄座２１の係止フック２１２を装着座３の内の一個の係止部３１１に係止させ、緩衝ユニット６の緩衝器６１を装着座３の載置部３１に位置させ、それから係止部材２２の係止フック２２１を装着座３のもう一方の係止部３１１に係止させることにより、家具の扉板と戸棚本体の組立を完成することができる。同様に、家具の扉板を戸棚本体から取り外す時、指で係止部材２２の押圧板２２３を作動させ、枢接部材２２４を中心に係止部材２２を回動させ、そして装着座３を係止している係止部３１１から係止フック２２１を離脱させることにより、外柄座１と装着座３を分離することができるため、扉板を取り外すことができる。
【００３４】
図５は、本考案の蝶番が家具の扉板と戸棚本体に応用されて扉板が戸棚に対して閉まっている状態の断面図である。図２、５を参照すると、家具の扉板を戸棚本体に対して閉めようとする時、外弾性板４と緩衝ユニット６の内弾性板６３は相対的に偏って回動して固定座５の収容部５２の内に収容される。扉板が閉まる過程において、緩衝ユニット６の緩衝器６１は緩衝の阻止力を提供して扉板の閉まる速度を緩めることができ、さらに緩衝ユニット６の内弾性板６３は支点枢接孔６３３を中心にして偏って回動することができ、そして同時に連接部材６２を連動して連接部材枢接孔１１２を中心にして偏って回動することができる。連接部材６２と内弾性板６３の枢設点は連接部材６２の円弧形孔６２４に従って滑動することにより、緩衝器６１の一部分の回動の角度を相殺することができるため、緩衝器６１の回動角度を減らすことができる。
【産業上の利用可能性】
【００３５】
上述の如く、本考案の蝶番によれば、円弧状の円弧形孔を有する連接部材を利用し、内弾性板を上記円弧形孔に枢設させる時、その間の枢設点は上記円弧形孔において滑動することにより、緩衝器の回動の角度を減らすことができるため、全体的な体積を相対的に縮減することができる。また、連接部材を利用して緩衝器と内弾性板の間に枢設して連接することにより、その組成する構造が簡単になるとともに、組立も簡単になる。さらに、緩衝器、連接部材および内弾性板の間は二個の枢設点しか有せず、上記連接部材は外柄座に枢設されて一定の角度で回動して作動するように形成されることにより、それぞれの枢設点の間による干渉を避けることができる。
【００３６】
本考案は、その精神とび必須の特徴事項から逸脱することなく他のやり方で実施することができる。従って、本明細書に記載した好ましい実施形態は例示的なものであり、限定的なものではない。
【符号の説明】
【００３７】
１    外柄座
１１    側壁
１１１ａ    弾性板枢接孔
１１１ｂ    弾性板枢接孔
１１２    連接部材枢接孔
１１３    緩衝器枢接孔
１２    調整部材
１３    固定部材
１４    枢接部材
１５    枢接部材
１６    枢接部材
１７    枢接部材
２    係止ユニット
２１    内柄座
２１１    側壁
２１２    係止フック
２１３    枢接孔
２２    係止部材
２２１    係止フック
２２２    枢接耳部
２２３    押圧板
２２４    枢接孔
２３    弾性部材
２４    枢接部材
３    装着座
３１    載置部
３１１    係止部
３２    装着部
３２１    組立孔
４    外弾性板
４１    側壁
４２    第一枢接孔
４３    第二枢接孔
５    固定座
５１    板部
５１１    組立孔
５２    収容部
５２１ａ    弾性板枢接孔
５２１ｂ    弾性板枢接孔
５２２    枢接部材
６    緩衝ユニット
６１    緩衝器
６１１    緩衝固定座
６１２    緩衝レバー
６１３    位置決め孔
６１４    位置決め孔
６２    連接部材
６２１    連接板
６２２    第一枢接孔
６２３    第二枢接孔
６２４    円弧形孔
６２５    アーム板
６３    内弾性板
６３１    第一枢接孔
６３２    第二枢接孔
６３３    支点枢接孔
６４    枢接部材
６５    枢接部材
７    バネ
【図１】
0003156516.tif 000003
【図２】
0003156516.tif 000004
【図３】
0003156516.tif 000005
【図４】
0003156516.tif 000006
【図５】
0003156516.tif 000007